(57)【特許請求の範囲】
【請求項１】
工具の軸線に沿って軸線方向に移動自在であり、端部に半径方向の窪み（３）を有する収容可能な工具（４）を収容するため、前記半径方向の窪み（３）に形状ロックするよう掛合する半径方向に移動自在の錠止素子（５）であって、外側から操作可能かつ錠止ばね（１４）によりばね負荷して軸線方向に移動自在の制御スリーブ（６）によって解除可能な錠止素子（５）を設け、前記制御スリーブ（６）と工具（４）のシャフトの差し込み領域との間にばね特性を有する保持素子（８）を配置した工具収容装置において、前記制御スリーブが解錠位置（１０）にあるとき、挿入した工具（４）によって緊張状態となるばね負荷した保持素子（８）により、制御スリーブ（６）の錠止位置（７）に向かう移動を止め手段（９）を介して阻止することを特徴とする工具収容装置。
【請求項２】
工具（４）の引き抜き後には、制御スリーブ（６）が錠止位置の方向に移動可能にした請求項１記載の工具収容装置。
【請求項３】
前記制御スリーブ（６）をフランジ状に構成し、手で直接手工具装置の方向に向けて軸線方向に移動自在に構成した請求項１又は２記載の工具収容装置。
【請求項４】
前記制御スリーブ（６）には、錠止ばね（１４）のための止め部として制御スリーブの内面から半径方向に延在するウェブ（１３）を設けた請求項３記載の工具収容装置。
【請求項５】
錠止素子（５）は、この錠止素子（５）から突出する外向きの突起（１２）が制御スリーブ（６）の凹所（１１）に掛合するようにした請求項１乃至４のうちのいずれか一項に記載の工具収容装置。
【請求項６】
ばね負荷した保持素子（８）は、半径方向にばね特性を示す板ばねとして構成した請求項１乃至５のうちのいずれか一項記載の工具収容装置。
【請求項７】
半径方向にばね特性を示す板ばねの形式のばね負荷した保持素子（８）は、挿入する工具（４）のシャフトの差込み領域に対して半径方向内方に向かって押圧する接触部分（１８）と、前記制御スリーブ（６）を保持するよう半径方向外方に突出する止め手段（９）と、少なくとも部分的に周方向に延在する固定部分（１７）とを有するものとして構成した請求項６記載の工具収容装置。
【請求項８】
前記止め手段（９）を、板ばねの半径方向にばね特性を示して軸線方向に延在する部分の端部を半径方向に折り曲げて形成した互いに角度をなす両側面取り部を有する鼻状部として構成した請求項７記載の工具収容装置。
【請求項９】
前記ばね負荷した保持素子（８）を、半径方向にばね負荷し、半径方向外方に突出する球頭部（１５）を有するボールの形式とした請求項１乃至５のうちのいずれか一項に記載の工具収容装置。
【請求項１０】
半径方向にばね負荷したボールの形式の保持素子（８）に関連する保持ばねを、半径方向にばね特性を有し、半径方向内面側に両側面取りしたスリーブばね（１６）に対して軸線方向に移動自在に配置し、このスリーブばね（１６）を制御スリーブ（６）に連結した請求項９記載の工具収容装置。
【発明の詳細な説明】
【０００１】
【発明の属する技術分野】
本発明は、削孔たがねのための工具収容装置、好適には、少なくとも部分的に打撃を加える、ハンマードリル装置又はたがねハンマー装置のような手工具装置に連結することができる工具収容装置に関するものである。
【０００２】
本発明は、少なくとも部分的に打撃を加える手工具装置の工具収容部に関して説明する。手工具装置の工具収容部に挿入する工具は、工具収容装置に対して相対回転不能かつ軸線方向に限定された範囲の軸線方向移動が可能となるよう収容する。このため、工具のシャフトの差込み領域の半径方向窪みに工具収容装置の半径方向に移動自在の錠止素子が掛合し、また工具の軸線方向の相対移動はこの半径方向窪みの軸線方向領域の長さによって制限される。シャフトの差込み領域に形成した相対回転を阻止する伝動溝により回転モーメントの伝達を生ずる。手工具装置の打撃を工具の軸線方向の端面に加え、工具収容装置には加わらないようにする。
【０００３】
【従来の技術】
米国特許第５，３９８，９４６号には、工具収容装置に、相対回転不能に収容する工具の軸線方向に限定範囲にわたるまた半径方向に延在する窪みに係止手段としてのボールを掛合させ、このポールは、片側から形状ロックを生じて軸線方向には移動不能に面取り部に沿って半径方向外方に移動自在にし、またこの半径方向外方移動によって工具を取り外すための解放を生じて軸線方向に相対移動にするものが記載されている。工具の挿入及び取り外しのために、軸線方向に移動自在の外側スリーブを保持ばねの押圧力に抗して手工具装置の方向に移動する。しかし、この従来の装置では、掛合位置でしか工具収容装置の安定状態が得られないという欠点がある。
【０００４】
米国特許第５，５５８，４７８号には、角柱形状の半径方向に移動自在の掛合素子を板ばねに設け、この板ばねを掛合位置と解放位置との間にばね負荷によって移動自在にし、外側スリーブとともに手工具装置の方向に軸線方向に移動自在の制御スリーブによって半径方向に負荷を与えるものが記載されている。しかし、この装置では、やはり、掛合位置でしか工具収容装置の安定状態が得られないという欠点がある。
【０００５】
ドイツ国特許公開第１９，６３６，２９３号には、掛合位置と解放位置との間で移動自在の制御スリーブのためのばね負荷保持素子が記載されており、この保持素子は制御スリーブと工具のシャフトの差込み領域との間に配置する。この保持素子によって、工具収容装置は掛合位置及び解放位置の双方で安定した状態が得られ、工具の交換を片手で行なうことができるようになる。このため、先ず、工具収容部を解放位置にセットし、次いで工具を交換し、このとき、交換した工具の挿入の際には保持素子は制御スリーブを解放し、次に自動的に掛合位置に移行する。
【０００６】
【発明が解決しようとする課題】
本発明の目的は、工具の交換を片手のみで一層簡単に行なうことができる工具収容装置を得るにある。
【０００７】
【課題を解決するための手段】
この目的を達成するため、本発明工具収容装置は、工具の軸線に沿って軸線方向に移動自在であり、端部に半径方向の窪みを有する収容可能な工具を収容するため、前記半径方向の窪みに形状ロックするよう掛合する半径方向に移動自在の錠止素子であって、外側から操作可能かつ錠止ばねによりばね負荷して軸線方向に移動自在の制御スリーブによって解除可能な錠止素子を設け、前記制御スリーブと工具のシャフトの差し込み領域との間にばね特性を有する保持素子を配置した工具収容装置において、前記制御スリーブが解錠位置にあるとき、挿入した工具によって緊張状態となるばね負荷した保持素子により、制御スリーブの錠止位置に向かう軸線方向移動を止め手段を介して阻止することを特徴とする。
【０００８】
工具を取り外した直後には保持素子の緊張が解放され、制御スリーブは錠止位置に弾発的に復帰する。工具の挿入の際には、交換した工具を錠止素子に対して軸線方向に強制的に押し付けることによって制御スリーブは部分的に保持位置に移動するが、この保持位置には達しない。工具を完全に挿入する際に、錠止素子が窪み内に半径方向に掛合し、制御スリーブの軸線方向の押圧が解放され、緊張した錠止ばねの復帰力によって錠止位置に弾発的に復帰し、錠止素子の半径方向の形状ロックで係止される。
【０００９】
好適には、制御スリーブはフランジ状に構成し、このスリーブの工具に対向する側の部分を同軸状に包囲し、半径方向に滑らかな段差を付けた部分に隣接して手工具装置に対向する側に半径方向に拡大した直径部分を外部から操作して、特に手で操作して軸線方向に移動可能にする。
【００１０】
制御スリーブの内部には錠止ばねのための止め部として作用する半径方向に突出するウェブを設け、この錠止ばねは手工具装置の方向に軸線方向に位置決めしたときこの止め部が圧縮されるようにする。これにより、軸線方向に解放されるとき制御スリーブは錠止位置に自動的に移動することができ、また制御スリーブの内面の一部を、半径方向に移動可能な錠止素子のための半径方向に形状ロックを生ずる止め部として構成する。この錠止素子は工具収容装置が他の状態であっても半径方向に形状ロックを生ずるよう密着するようにすると好適である。
【００１１】
錠止素子の手工具装置の方向に指向する側の端面部分に制御スリーブに対する片側軸線方向押圧面として構成し、好適には、この押圧面を制御スリーブにおいて半径方向に延在するウェブに作用させる。
【００１２】
好適には、錠止素子は半径方向外方に指向する突起を制御スリーブの凹所に掛合させ、この制御スリーブに形状ロックを生じて制御スリーブと一緒に軸線方向に移動自在に連結する。
【００１３】
保持素子は第１の好適な実施例として、軸線方向に延在する半径方向にばね負荷した板ばねにより構成し、好適には、この板ばねに少なくとも部分的に包囲する固定部分を設ける。この保持素子は、保持素子の制御を受けるよう挿入される工具のシャフトの差込み領域に接触する半径方向内方側の接触部分と、制御スリーブを保持するための半径方向外方の止め手段とを設ける。
【００１４】
保持素子に設ける半径方向に移動自在の止め手段は、好適には、板ばねの軸線方向に延在して半径方向にばね特性を有する部分の端部において互いに角度をなす両側面取り部を有するノーズとして構成すると好適である。制御スリーブの半径方向に延在するウェブの内方端部の２個の面取り部に関連して、制御スリーブは保持素子の押圧力に抗して軸線方向に移動することによって止め手段を半径方向にシフトする。
【００１５】
板ばねの半径方向に延在する部分は半径方向に折り曲げたものとして構成するとよく、この構成によれば、止め手段の保持ばねの移動行程を大きくすることができる。
【００１６】
保持素子の他の好適な実施例として、保持素子はばね負荷したボールとして構成し、工具収容装置の設けた開口によりこのボールを包囲し、軸線方向並びに半径方向に限定範囲内で移動自在に案内し、工具収容装置内に挿入した工具のシャフトの差込み領域に作用させることができるようにする。ばね負荷したボールの半径方向外方に突出する球頭部に作用する両側面取り部を保持ばねに設け、この保持ばねは、半径方向にばね特性を有し、かつ半径方向内面に両側面取り部を形成したスリーブ状ばねに付属するものとし軸線方向に移動自在にし、このスリーブ状ばねは制御スリーブに連結すると好適である。
【００１７】
【発明の実施の形態】
次に、本発明の好適な実施の形態を説明する。
【００１８】
図１ａ、又はこの図１ａを９０°回転した向きの断面の図１ｂに示すように、形状ロックで相対回転を阻止する伝動素子２により、また工具軸線に沿って限定範囲内で軸線方向に移動自在となるようシャフトの端部における差し込み領域の半径方向に形成した切除部３により相対回転不能に収容する工具４のための工具収容装置１に、半径方向に移動自在な錠止素子５を設け、この錠止素子５は、半径方向の切除部３に形状ロックを生ずるよう錠止しまた外側から直接手で操作可能なかつばね負荷して軸線方向に移動自在な制御スリーブ６により解除可能にする。図１ａ及び図１ｂの状態では、フランジ状に構成した制御スリーブ６は錠止位置７をとる。
【００１９】
図２ａ、又はこの図２ａを９０°回転した向きの断面の図２ｂに示すように、制御スリーブ６と工具４のシャフトの差し込み領域との間に、半径方向にばね特性を示す板ばねの形式の保持素子８を配置し、この保持素子８のばね力に抗して工具４を挿入することにより半径方向に移動しかつ制御スリーブ６に錠止する止め手段９により、制御スリーブ６は錠止位置７から軸線方向に移動した解錠位置１０を保持する。半径方向に移動自在の錠止素子５は、制御スリーブ６の凹所１１に錠止する錠止素子５の突起１２の形状ロックにより軸線方向に移動不能に連結し、この制御スリーブ６と一緒に錠止位置７から移動することができる。制御スリーブ６に連結して半径方向に延在し、圧縮した錠止ばね１４のための止め部として作用するウェブ１３を解錠位置１０にある止め手段９により保持する。
【００２０】
図３ａ、又はこの図３ａを９０°回転した向きの断面の図３ｂに示すように、工具４を抜き出すことによって保持素子８の緊張が解かれ、止め手段９は制御スリーブ６の軸線方向移動を阻止する接触を持たなくなる。
【００２１】
図４ａ、又はこの図４ａを９０°回転した向きの断面の図４ｂに示すように、錠止ばね１４は、工具４を抜き出した後に制御スリーブ６を錠止位置７に復帰移動させる。
【００２２】
図５ａ、又はこの図５ａを９０°回転した向きの断面の図５ｂに示すように、工具収容装置に工具４を挿入する際に錠止素子５により制御スリーブ６に加わる軸線方向の強制力によって、制御スリーブ６は錠止位置７から解錠位置１０に向かって移動し、この解錠位置１０には達していない状態を示す。このとき、保持素子８の止め手段９は、制御スリーブ６のウェブ１３に関して軸線方向の移動を阻止する保持位置には達していない。
【００２３】
図６ａ、又はこの図６ａを９０°回転した向きの断面の図６ｂに示すように、保持素子８をボールにより構成し、このボール８は、工具収容装置１において周方向に配置しかつ制限された範囲の半径方向案内を受ける開口を経て工具収容装置に挿入した工具４のシャフトの差し込み領域に接触し、ボールの半径方向外方に突出する球頭部１５のための両側面取り部として構成し、半径方向にばね負荷して半径方向内側に向かって面取りしたスリーブ状ばね１６を軸線方向に移動自在に配置し、このスリーブ状ばね１６を制御スリーブ６に連結する。図示の状態では、解錠位置１０にある制御スリーブ６の錠止位置７の方向への軸線方向移動は阻止されている。
【００２４】
図７には、軸線方向に延在しかつ半径方向にばね特性を有する板ばねとして構成した保持素子８の第１の実施例を示し、少なくとも部分的に周方向に延在する固定部分１７と、制御スリーブの制御のため挿入した工具のシャフトの差し込み領域に接触する半径方向内方の接触部分１８と、制御スリーブを保持するための半径方向外方に設けた止め手段９とを設ける。保持素子８の半径方向に移動自在の止め手段９は板ばねの軸線方向に延在する半径方向にばね特性を示す部分の端部において、互いに角度をなす両側面取り部を有するノーズとして構成する。板ばねの半径方向に延在する部分は折り曲げて形成する。
【００２５】
図８には制御スリーブ６に保持ばねスリーブ１６を連結した第２の実施例を示し、ボールの球頭部に錠止する領域に両側面取り部１９を設ける。
【図面の簡単な説明】
【図１】  本発明の第１の実施例の錠止位置にある状態を示し、（ａ）はある断面を示し、（ｂ）は（ａ）の断面から９０°回転した向きの断面を示す。
【図２】  本発明の第１の実施例の解錠位置にある状態を示し、（ａ）はある断面を示し、（ｂ）は（ａ）の断面から９０°回転した向きの断面を示す。
【図３】  本発明の第１の実施例の工具を工具収容装置から抜き出すときの途中の状態を示し、（ａ）はある断面を示し、（ｂ）は（ａ）の断面から９０°回転した向きの断面を示す。
【図４】  本発明の第１の実施例の工具を工具収容装置から抜き出した後の状態を示し、（ａ）はある断面を示し、（ｂ）は（ａ）の断面から９０°回転した向きの断面を示す。
【図５】  本発明の第１の実施例の工具を工具収容装置に挿入する途中の状態を示し、（ａ）はある断面を示し、（ｂ）は（ａ）の断面から９０°回転した向きの断面を示す。
【図６】  本発明の第２の実施例の解錠位置にある状態を示す。
【図７】  本発明の第１の実施例の保持素子の斜視図である。
【図８】  本発明の第２の実施例の制御スリーブの斜視図である。
【符号の説明】
1  工具収容部
2  伝動素子
3  切除部
4  工具
5  錠止素子
6  制御スリーブ
7  錠止位置
8  保持素子
9  止め手段
10  解錠位置
11  凹所
12  突起
13  ウェブ
14  錠止ばね
15  球頭部
16  スリーブ状ばね
17  固定部分
18  接触部分
19  両側面取り部
【図１】
0004758565.tif 000002
【図２】
0004758565.tif 000003
【図３】
0004758565.tif 000004
【図４】
0004758565.tif 000005
【図５】
0004758565.tif 000006
【図６】
0004758565.tif 000007
【図７】
0004758565.tif 000008
【図８】
0004758565.tif 000009